(57)【要約】      （修正有）【課題】操作ハンドルを固定ケースに対して再錠止することなくキーを抜きとることができる起伏回転操作型扉用ロックハンドル装置を提供する。【解決手段】ロック本体１０が対面する操作ハンドル８の先端部の貫通孔１３を通過不能なキー１４を有し、ロックレバー２１に逆止レバー２６を枢着し、先端フック部２３がフック受部１８に係合するように第１バネ部材２４でロックレバー２１を回転付勢し、爪部２８が爪受部１９に係合するように第２バネ部材２９で逆止レバー２６を回転付勢し、キー１４によってロータ１１を回転させて、ロックレバー２１の先端フック部２３を錠止アーム１７のフック受部１８から離脱させるとともに、逆止レバー２６の爪部２８を錠止アーム１７の爪受部１９に係合させてロックレバー２１を無効化位置に留置し、無効化位置にロックレバー２１を保持したままキー１４を施錠位置まで逆回転させて前記貫通孔から抜き取る。【選択図】図２
2010144464.tif 000002
【特許請求の範囲】
【請求項１】
固定ケースに対して操作ハンドルを起伏回転可能に枢着し、前記固定ケース側にロック本体を内蔵させ、前記固定ケース側に枢着したロックレバーの先端フック部を前記操作ハンドルの背面側に形成した錠止アームのフック受部に係合させることによって、前記操作ハンドルを倒伏位置に拘束する一方、前記ロック本体に挿入したキーによって前記ロック本体のロータを解錠方向に回転させ、前記ロータに連結した駆動カム板によって前記ロックレバーを駆動して、前記先端フック部を前記フック受部から離脱させることによって、前記操作ハンドルを起立回転させるようにしてあり、
前記操作ハンドルの先端部に前記ロック本体が対面する貫通孔を前後方向に形成し、施錠位置においてのみ前記ロック本体に抜き差しされるキーを、前記貫通孔を通過可能な挿入端部と前記貫通孔を通過不能なキー主体部とで構成し、前記錠止アームに前記フック受部よりも後方にずらした位置に爪受部を形成し、前記ロックレバーの中間部に逆止レバーを枢着し、前記逆止レバーの先端部に前記爪受部に係合する爪部を形成し、前記先端フック部が前記フック受部に係合するように第１バネ部材によって前記ロックレバーを回転付勢し、前記爪部が前記爪受部に係合するように第２バネ部材によって前記逆止レバーを回転付勢してあり、
施錠位置において前記キーの挿入端部を前記ロック本体に挿入して前記ロータを所定方向に回転させることによって、前記駆動カム板により前記ロックレバーのカム従動部を押し、前記ロックレバーの前記先端フック部を前記錠止アームの前記フック受部から離脱させるとともに、前記逆止レバーの前記爪部を前記錠止アームの前記爪受部に係合させることによって、前記ロックレバーを前記先端フック部が前記フック受部から離脱した無効化位置に留置し、この無効化位置に前記ロックレバーを保持した状態において、前記キーを施錠位置まで逆回転させ、前記挿入端部を前記ロック本体の頭部及び前記操作ハンドルの前記貫通孔から抜き取るようにした起伏回転操作型扉用ロックハンドル装置。
【発明の詳細な説明】
【技術分野】
【０００１】
本発明は、各種機器類の収納ボックスなどの扉の施錠と開閉操作に使用される起伏回転操作型の扉用ロックハンドル装置に関するものである。
【背景技術】
【０００２】
固定ケースに対して操作ハンドルを起伏回転可能に枢着し、固定ケース側に内蔵したロック本体又は操作ハンドル側に内蔵したロック本体によって操作ハンドルを倒伏位置に錠止するようにした扉用ロックハンドル装置は、既に知られている（ロック本体を固定ケース側に内蔵したものとしては、特許文献１及び特許文献２参照、ロック本体を操作ハンドル側に内蔵したものとしては、特許文献３及び特許文献参照）。
【０００３】
ロック本体を固定ケース側に内蔵させる方式の起伏回転操作型扉用ロックハンドル装置では、これまでは操作ハンドルの長さが固定ケースの長さよりも短く設定され、ロック本体は操作ハンドルが覆われない余長部分に内蔵されているため、操作ハンドルとキーとの干渉問題等は生じていなかった。
ところが、操作ハンドルの長さを固定ケースの長さとほぼ同等に設定し、操作ハンドルの先端部分に前後方向に形成した貫通孔を通してキーの抜き差しを行なうようにした新型の扉用ロックハンドル装置では、２つの点で問題が生じた。
【０００４】
第１の問題は、キー主体部の横幅寸法が前記貫通孔の直径よりも大きい場合、キーを解錠位置に回して固定ケースに対する操作ハンドルの錠止を解除した後、キーをロータ本体に挿入したまま放置したときには、キーが前記貫通孔の縁部が引っ掛かるため、操作ハンドルを起立回転させることができないことである。
第２の問題は、キーを施錠位置に逆回転させてからキーをロック本体から抜き取って置けば、前記貫通孔とキーとの干渉問題自体は解決することはできるが、前記キーの抜き取りのためには前記ロック本体のロータを施錠位置まで逆回転させる必要があるのであるが、ロータをそのように逆回転させたときには、ロータに連動する錠止機構が作動して操作ハンドルが固定ケースに対して再び錠止されてしまうことである。
【０００５】
特許第４１８８６９１号公報に開示されているように、キーとロック本体にＣＰＵを内蔵することで開錠スケジュール、アクセスの可否、アクセスログの収集などを可能にした新型の電子ロックを適用したキーとロック本体を扉用ロックハンドル装置に組み込む場合には、ＣＰＵ等の内蔵によってキーが大型化しているため、キーと操作ハンドルの貫通孔との第１の干渉の問題を回避できず、また、この電子ロックではキーを施錠位置に戻してからロック本体より抜きとる構造であるため、第２の再錠止の問題も回避できない。
【０００６】
【特許文献１】特開平８−１０９７６２号公報
【特許文献１】特開平７−０３４７３７号公報
【特許文献１】特開平８−２４６７２３号公報
【特許文献１】特開平８−１０５２５１号公報
【発明の開示】
【発明が解決しようとする課題】
【０００７】
本発明の課題は、操作ハンドルを固定ケースに対して再錠止することなくキーを抜きとることができ、大型キーを使用するロック本体の組み込みも容易である起伏回転操作型扉用ロックハンドル装置を提供することである。
【課題を解決するための手段】
【０００８】
本発明の起伏回転操作型扉用ロックハンドル装置は、固定ケースに対して操作ハンドルを起伏回転可能に枢着し、前記固定ケース側にロック本体を内蔵させ、前記固定ケース側に枢着したロックレバーの先端フック部を前記操作ハンドルの背面側に形成した錠止アームのフック受部に係合させることによって、前記操作ハンドルを倒伏位置に拘束する一方、前記ロック本体に挿入したキーによって前記ロック本体のロータを解錠方向に回転させ、前記ロータに連結した駆動カム板によって前記ロックレバーを駆動して、前記先端フック部を前記フック受部から離脱させることによって、前記操作ハンドルを起立回転させるようにしてあり、
前記操作ハンドルの先端部に前記ロック本体が対面する貫通孔を前後方向に形成し、施錠位置においてのみ前記ロック本体に抜き差しされるキーを、前記貫通孔を通過可能な挿入端部と前記貫通孔を通過不能なキー主体部とで構成し、前記錠止アームに前記フック受部よりも後方にずらした位置に爪受部を形成し、前記ロックレバーの中間部に逆止レバーを枢着し、前記逆止レバーの先端部に前記爪受部に係合する爪部を形成し、前記先端フック部が前記フック受部に係合するように第１バネ部材によって前記ロックレバーを回転付勢し、前記爪部が前記爪受部に係合するように第２バネ部材によって前記逆止レバーを回転付勢してあり、
施錠位置において前記キーの挿入端部を前記ロック本体に挿入して前記ロータを所定方向に回転させることによって、前記駆動カム板により前記ロックレバーのカム従動部を押し、前記ロックレバーの前記先端フック部を前記錠止アームの前記フック受部から離脱させるとともに、前記逆止レバーの前記爪部を前記錠止アームの前記爪受部に係合させることによって、前記ロックレバーを前記先端フック部が前記フック受部から離脱した無効化位置に留置し、この無効化位置に前記ロックレバーを保持した状態において、前記キーを施錠位置まで逆回転させ、前記挿入端部を前記ロック本体の頭部及び前記操作ハンドルの前記貫通孔から抜き取るようにしたものである。
【発明の効果】
【０００９】
以上のように構成された本発明の起伏回転操作型扉用ロックハンドル装置では、施錠位置においてのみ前記ロック本体に抜き差しされる前記キーを、前記操作ハンドルの前記貫通孔を通過可能な挿入端部と前記貫通孔を通過不能なキー主体部とで構成し、操作ハンドル背面側の前記錠止アームに前記フック受部よりも後方にずらした位置に爪受部を形成し、前記ロックレバーの中間部に枢着した前記逆止レバーの先端部に前記爪受部に係合する爪部を形成し、前記先端フック部が前記フック受部に係合するように第１バネ部材によって前記ロックレバーを回転付勢し、前記爪部が前記爪受部に係合するように第２バネ部材によって前記逆止レバーを回転付勢し、施錠位置において前記キーの挿入端部を前記ロック本体に挿入して前記ロータを所定方向に回転させることによって、前記駆動カム板により前記ロックレバーのカム従動部を押し、前記ロックレバーの前記先端フック部を前記錠止アームの前記フック受部から離脱させたときに、前記逆止レバーの前記爪部を前記錠止アームの前記爪受部に係合させることによって、前記ロックレバーを前記先端フック部が前記フック受部から離脱した無効化位置に留置し、この無効化位置に前記ロックレバーを保持した状態において、前記キーを施錠位置まで逆回転させ、前記挿入端部を前記ロック本体の頭部及び前記操作ハンドルの前記貫通孔から抜き取るようにしたものであるから、前記操作ハンドルが前記固定ケースに再錠止される事態を生じさせることなく、前記操作ハンドルの起立回転操作に先行して、前記キーを前記ロック本体から抜き取ることができ、操作ハンドルの長大化、キーの大型化に的確に対応することができる。
【実施例】
【００１０】
図示の実施例では、扉１に固着される固定ケース２の端部背面側に軸受筒部３を突設し、軸受筒部３に回転可能に嵌め入れた主軸４の後端部に固定枠体側の受金部（図示していない）に係脱する錠止板５を連結し、主軸４の前端部に接合ボス部６を突設し、扉１と平行な横断枢軸７によって接合ボス部６に操作ハンドル８の基端部を枢着して、操作ハンドル８を固定ケース２に対して起伏回転可能に装着してある。
【００１１】
固定ケース２の軸受筒部３とは反対の端部にロック収容部９を突設し、ロック収容部９に収容固定したロック本体１０のロータ１１の後端部に駆動カム板１２を連結してある。操作ハンドル８の先端部には、ロック本体１０の頭部に対面した位置に前後方向の貫通孔１３を形成してあり、操作ハンドル８の倒伏状態では、貫通孔１３内にロック本体１０の頭部が入り込んでいる。
【００１２】
キー１４は、操作ハンドル８を固定ケース２に起立不能に錠止した施錠位置においてのみロック本体１０に抜き差しされるものであり、キー１４は、貫通孔１３を通過してロック本体１０の頭部に抜き差しされる挿入端部１５と貫通孔１３を通過不能なキー主体部１６とで構成されている。キー及びロック本体としては従来型のシリンダー錠の他に前記した新型の電子ロック装置を使用することもできる。
【００１３】
錠止アーム１７は操作ハンドル８の中間部背面に突設され、操作ハンドル８の倒伏状態では錠止アーム１７は固定ケース２に入り込む。錠止アーム１７の先端部には、フック受部１８及び爪受部１９を前後に位置をずらして形成してある。固定ケース２の内底壁２０には、錠止アーム１７に対面した位置にロックレバー２１を配置し、横断枢軸７と平行な第１支軸２２によってロックレバー２１を固定ケース２に枢着してある。第１支軸２２より前方に形成した先端フック部２３が錠止アーム１７のフック受部１８に係合するようにコイルバネよりなる第１バネ部材２４によってロックレバー２１が回転付勢されている。
【００１４】
第１支軸２２より後方に形成したロックレバー２１のカム従動部２５は、駆動カム板１２の回転軌跡上に配置されている。錠止アーム１７に対面した位置に逆止レバー２６を配置し、逆止レバー２６の基端部を横断枢軸７と平行な第２支軸２７によってロックレバー２１の中間部に枢着してあり、逆止レバー２６の爪部２８が錠止アーム１７の爪受部１９に係合するようにコイルバネよりなる第２バネ部材２９によって逆止レバー２６が回転付勢されている。逆止レバー２６は、ロックレバー２１の中間部に上下方向に貫通して形成した角型の透孔３５に基端部を挿入され、透孔３５の内面３５ａ、３５ｂとの接触によって回転角度を一定範囲に規制されている。
【００１５】
本実施例では、バネ板３０を中央透孔３１にて主軸４の接合ボス部６に相対回転不能に嵌め合わせてあり、操作ハンドル８の基端部背面には鈍角に交差している２つの斜面３２，３３が形成されている。操作ハンドル８が倒伏位置にあるとき、両斜面３２、３３の交叉する稜線部３４が主軸４の長さ方向軸線の上側においてバネ板３０に圧接しているため、図２において操作ハンドル８は横断枢軸７を中心に反時計回り方向に回転付勢されており、操作ハンドル８は当該倒伏位置に保持されている。
【００１６】
操作ハンドル８の先端部背面に指先を掛けて操作ハンドル８を起立回転させたとき、上記稜線部３４とバネ板３０との圧接点が下側に移動する。稜線部３４とバネ板３０との圧接点が主軸４の長さ方向軸線を下側に越えた瞬間に、バネ板３０による付勢方向が逆転し、操作ハンドルは図２において時計回り方向に回転付勢され、操作ハンドル８は斜めに起立した状態に保持される。この起立状態において操作ハンドルが軸受筒部３を中心に回されると、主軸４が一体に回され、錠止板５が固定枠体側の受金部（図示していない）に係脱する。
【００１７】
操作ハンドル８が固定ケース２に対して拘束されている施錠位置において、キー１４の挿入端部１５をロック本体１０の頭部に挿入して、ロック本体１０に対するロータ１１の回転拘束を解除し、ロータ１１を所定方向に回転させると、駆動カム板１２がロックレバー２１のカム従動部２５を押す。カム従動部２５が押されることによって、ロックレバー２１が第１支軸２２を中心に第１バネ部材２４の付勢によって回転するため、ロックレバー２１の先端フック部２３が錠止アーム１７のフック受部１８から離脱する。これとほぼ同時に、逆止レバー２６が第２支軸２７を中心に第２バネ部材２９の付勢によって回転するため、逆止レバー２６の爪部２８が錠止アーム１７の爪受部１９に係合することになる。この一連の作動によって、ロックレバー２１は先端フック部２３がフック受部１８から離脱した無効化位置に留置される。
【００１８】
この無効化位置にロックレバー２１を保持した状態において、キー１４を施錠位置まで逆回転させ、挿入端部１５をロック本体１０の頭部及び操作ハンドル８の貫通孔１３から抜き取るのである。
【図面の簡単な説明】
【００１９】
【図１】本発明の一実施例に係る起伏回転操作型扉用ロックハンドル装置の正面図である。
【図２】図１のＡ−Ａ線断面図である。
【図３】図１の起伏回転操作型扉用ロックハンドル装置の背面図である。
【図４】図１の起伏回転操作型扉用ロックハンドル装置に組み込んだロックレバーの右側面図である。
【図５】図４のロックレバーの背面図である。
【図６】図４のロックレバーの平面図である。
【図７】図１の起伏回転操作型扉用ロックハンドル装置に組み込んだ逆止レバーの右側面図である。
【図８】図１の起伏回転操作型扉用ロックハンドル装置においてロックレバーが有効に機能している状態を示した要部拡大断面図である。
【図９】図１の起伏回転操作型扉用ロックハンドル装置においてロックレバーが無効化位置に保持されている状態を示した要部拡大断面図である。
【符号の説明】
【００２０】
１  扉
２  固定ケース
３  固定ケースの軸受筒部
４  主軸
５  錠止板
６  主軸の接合ボス部
７  横断枢軸
８  操作ハンドル
９  固定ケースのロック収容部
１０  ロック本体
１１  ロック本体のロータ
１２  駆動カム板
１３  操作ハンドルの貫通孔
１４  キー
１５  キーの挿入端部
１６  キー主体部
１７  操作ハンドルの錠止アーム
１８  錠止アームのフック受部
１９  錠止アームの爪受部
２０  固定ケースの内底壁
２１  ロックレバー
２２  第１支軸
２３  ロックレバーの先端フック部
２４  第１バネ部材
２５  ロックレバーのカム従動部
２６  逆止レバー
２７  第２支軸
２８  逆止レバーの爪部
２９  第２バネ部材
３０  バネ板
３１  バネ板の中央透
３２  操作ハンドルの基端部背面の斜面
３３  操作ハンドルの基端部背面の斜面
３４  稜線部
３５  ロックレバーの透孔
【図１】
2010144464.tif 000003
【図２】
2010144464.tif 000004
【図３】
2010144464.tif 000005
【図４】
2010144464.tif 000006
【図５】
2010144464.tif 000007
【図６】
2010144464.tif 000008
【図７】
2010144464.tif 000009
【図８】
2010144464.tif 000010
【図９】
2010144464.tif 000011